【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
制御チャネルに関してブラインド復号を実行する処理と、
前記ブラインド復号に基づいて、候補許可のセットを識別する処理と、
少なくとも１つの基準に基づいて、無効であると見なされたそれぞれの候補許可を廃棄し、それにより、０個以上の残りの候補許可を生じる処理と、
前記０個以上の残りの候補許可の中から０個以上の候補許可を選択する処理と
を備える方法。
【請求項２】
前記制御チャネルが、物理ダウンリンク共有チャネル（ＰＤＳＣＨ）またはリレーＰＤＳＣＨ（Ｒ−ＰＤＳＣＨ）のためのリソース割振り情報を搬送する請求項１に記載の方法。
【請求項３】
前記制御チャネルが物理ダウンリンク制御チャネル（ＰＤＣＣＨ）を備える請求項２に記載の方法。
【請求項４】
前記廃棄する処理は、
動作モードを識別する処理と、
前記動作モードに対応する有効な無線ネットワーク一時識別子（ＲＮＴＩ）値のセットを構築する処理と、
前記有効なＲＮＴＩ値のセット中に含まれないＲＮＴＩ値を有すると判断されたそれぞれの候補許可を廃棄する処理と
を含む請求項３に記載の方法。
【請求項５】
前記構築する処理は、
接続動作モードを識別することに応答して、接続ＲＮＴＩ（Ｃ−ＲＮＴＩ）値を前記有効なＲＮＴＩ値のセットに追加する処理を含む請求項４に記載の方法。
【請求項６】
前記構築する処理は、
ページングオケージョンを識別することに応答して、ページングＲＮＴＩ（Ｐ−ＲＮＴＩ）値を前記有効なＲＮＴＩ値のセットに追加する処理と、
システム情報を監視または受信すべき時間間隔を識別することに応答して、システム情報ＲＮＴＩ（ＳＩ−ＲＮＴＩ）値を前記有効なＲＮＴＩ値のセットに追加する処理と、
ランダムアクセスチャネル（ＲＡＣＨ）プロシージャを識別することに応答して、ランダムアクセスＲＮＴＩ（ＲＡ−ＲＮＴＩ）値を前記有効なＲＮＴＩ値のセットに追加する処理と
のうちの１つまたは複数を含む請求項４に記載の方法。
【請求項７】
前記構築する処理は、
ダウンリンク構成を識別することに応答して、物理アップリンク制御チャネルＲＮＴＩのための送信電力制御（ＴＰＣ−ＰＵＣＣＨ−ＲＮＴＩ）値を前記有効なＲＮＴＩ値のセットに追加する処理と、
アップリンク構成を識別することに応答して、物理アップリンク共有チャネルＲＮＴＩのための送信電力制御（ＴＰＣ−ＰＵＳＣＨ−ＲＮＴＩ）値を前記有効なＲＮＴＩ値のセットに追加する処理と
のうちの１つまたは複数を含む請求項４に記載の方法。
【請求項８】
前記廃棄する処理は、
１つまたは複数の基準に従って、妥当性についてそれぞれの候補許可のペイロードを検査する処理と、
前記検査することに基づいて、無効なペイロードを有することがわかったそれぞれの候補許可を廃棄する処理と
を含む請求項１に記載の方法。
【請求項９】
前記廃棄する処理は、
許可内のそれぞれのフィラービットのための利用されるべき予想パターンを識別する処理と、
前記予想パターンに一致しない少なくとも１つのフィラービットを備えるペイロードを有するそれぞれの候補許可を廃棄する処理と
をさらに備える請求項８に記載の方法。
【請求項１０】
候補許可のセットに関係するデータを記憶するメモリと、
前記メモリに結合され、
制御チャネルに関してブラインド復号を実行することと、
前記ブラインド復号に基づいて前記候補許可のセットを識別することと、
少なくとも１つの基準に基づいて、無効であると見なされたそれぞれの候補許可を廃棄し、それにより、０個以上の残りの候補許可を生じることと、
前記０個以上の残りの候補許可の中から０個以上の候補許可を選択することとを行うように構成されたプロセッサと
を備えるワイヤレス通信装置。
【請求項１１】
前記制御チャネルは、
物理ダウンリンク共有チャネル（ＰＤＳＣＨ）またはリレーＰＤＳＣＨ（Ｒ−ＰＤＳＣＨ）のためのリソース割振り情報を搬送する請求項１０に記載のワイヤレス通信装置。
【請求項１２】
前記制御チャネルは、
物理ダウンリンク制御チャネル（ＰＤＣＣＨ）を備える請求項１１に記載のワイヤレス通信装置。
【請求項１３】
前記メモリは、動作モードに関係するデータをさらに記憶し、
前記プロセッサは、
前記動作モードに対応する有効な無線ネットワーク一時識別子（ＲＮＴＩ）値のセットを構築し、前記有効なＲＮＴＩ値のセット中に含まれないＲＮＴＩ値を有すると判断されたそれぞれの候補許可を廃棄するようにさらに構成された請求項１２に記載のワイヤレス通信装置。
【請求項１４】
前記プロセッサは、
１つまたは複数の基準に従って、妥当性についてそれぞれの候補許可のペイロードを検査し、無効なペイロードを有することがわかったそれぞれの候補許可を廃棄するようにさらに構成された請求項１２に記載のワイヤレス通信装置。
【請求項１５】
前記メモリは許可内のそれぞれのフィラービットのための利用されるべき予想パターンに関係するデータをさらに記憶し、
前記プロセッサは、
前記予想パターンに一致しない少なくとも１つのフィラービットを備えるペイロードを有するそれぞれの候補許可を廃棄するようにさらに構成された請求項１４に記載のワイヤレス通信装置。
【請求項１６】
制御チャネルに関してブラインド復号を実行するための手段と、
前記ブラインド復号に基づいて候補許可のセットを識別するための手段と、
０個以上の残りの候補許可を取得するために、少なくとも１つのファクタに基づいて、無効であると見なされたそれぞれの候補許可を廃棄するための手段と、
前記０個以上の残りの候補許可の中から０個以上の候補許可を選択するための手段と
を備える装置。
【請求項１７】
前記制御チャネルが物理ダウンリンク制御チャネル（ＰＤＣＣＨ）を備える請求項１６に記載の装置。
【請求項１８】
前記廃棄するための手段は、
動作モードを識別するための手段と、
前記動作モードに対応する有効な無線ネットワーク一時識別子（ＲＮＴＩ）値のセットを構築するための手段と、
前記有効なＲＮＴＩ値のセット中に含まれないＲＮＴＩ値を有すると判断されたそれぞれの候補許可を廃棄するための手段と
を含む請求項１７に記載の装置。
【請求項１９】
前記制御チャネルが物理ブロードキャストチャネル（ＰＢＣＨ）を備える請求項１６に記載の装置。
【請求項２０】
前記廃棄するための手段は、
１つまたは複数のファクタに従って、妥当性についてそれぞれの候補許可のペイロードを検査するための手段と、
検査のための前記手段の動作に基づいて、無効なペイロードを有することがわかったそれぞれの候補許可を廃棄するための手段と
を含む請求項１６に記載の装置。
【請求項２１】
前記廃棄するための手段は、
デバイス能力のセットを識別するための手段と、
前記デバイス能力のセットの外の１つまたは複数のパラメータを示すペイロードを有するそれぞれの候補許可を廃棄するための手段と
をさらに備える請求項２０に記載の装置。
【請求項２２】
前記廃棄するための手段は、
無効なリソースブロックサイズ、無効な変調もしくは符号化方式、無効なプリコーディング情報、無効な帯域幅構成値、またはサポートされたリソース範囲の外のリソース割振りのうちの少なくとも１つを示すペイロードを有するそれぞれの候補許可を廃棄するための手段をさらに備える請求項２０に記載の装置。
【請求項２３】
前記廃棄するための手段は、
許可内のそれぞれのフィラービットのための利用されるべき予想パターンを識別するための手段と、
前記予想パターンに一致しない少なくとも１つのフィラービットを備えるペイロードを有するそれぞれの候補許可を廃棄するための手段と
をさらに備える請求項２０に記載の装置。
【請求項２４】
前記選択するための手段は、
前記０個以上の残りの候補許可に関連するアグリゲーションレベル、または前記０個以上の残りの候補許可に関して実行される復号に関連するエネルギーメトリックのうちの少なくとも１つに基づいて、前記０個以上の残りの候補許可の中から０個以上の候補許可を選択するための手段を含む請求項１６に記載の装置。
【請求項２５】
前記選択するための手段は、
前記０個以上の残りの候補許可を残りのアップリンク許可と残りのダウンリンク許可とに分離するための手段と、
前記０個以上の残りの候補許可の中から残りのアップリンク許可または残りのダウンリンク許可のうちの少なくとも１つを選択するための手段と
含む請求項１６に記載の装置。
【請求項２６】
コンピュータに、
制御チャネルに関してブラインド復号を実行させるためのコードと、
前記ブラインド復号に基づいて候補許可のセットを識別させるためのコードと、
０個以上の残りの候補許可を取得するために、少なくとも１つのファクタに基づいて、無効であると見なされたそれぞれの候補許可を廃棄させるためのコードと、
前記０個以上の残りの候補許可の中から０個以上の候補許可を選択させるためのコードと
を有する非一時的コンピュータ可読媒体上に記憶されたコンピュータプログラム製品。
【請求項２７】
前記制御チャネルが物理ダウンリンク制御チャネル（ＰＤＣＣＨ）を備える請求項２６に記載のコンピュータプログラム製品。
【請求項２８】
前記コンピュータに廃棄させるためのコードは、
前記コンピュータに、
動作モードを識別させるためのコードと、
前記動作モードに対応する有効な無線ネットワーク一時識別子（ＲＮＴＩ）値のセットを構築させるためのコードと、
前記有効なＲＮＴＩ値のセット中に含まれないＲＮＴＩ値を有すると判断されたそれぞれの候補許可を廃棄させるためのコードと
を含む請求項２６に記載のコンピュータプログラム製品。
【請求項２９】
前記コンピュータに廃棄させるためのコードは、
前記コンピュータに、
１つまたは複数のファクタに従って、妥当性についてそれぞれの候補許可のペイロードを検査させるためのコードと、
検査のための前記コードの動作に基づいて、無効なペイロードを有することがわかったそれぞれの候補許可を廃棄させるためのコードと
を含む請求項２６に記載のコンピュータプログラム製品。